(57)【要約】      （修正有）【課題】食事をする際に用いて、使用している箸またはスプーンなどの食事用品を簡単に食器に残置して他の用事が出来る簡易食器を提供する。【解決手段】紙または発泡スチロールで形成する簡易食器１において、箸またはスプーンなど食事時に使用する食事用品を一時的に保持できる切り込みや突起を外周２に設けたホルダー３を有する紙または発泡スチロールで形成された簡易食器である。【選択図】図１
0003210889.tif 000002
【実用新案登録請求の範囲】
【請求項１】
箸またはスプーンなどの食事用品を一時的に保持できる構造を付加した紙製または発泡スチロール製の簡易食器。
【考案の詳細な説明】
【技術分野】
【０００１】  本考案は、紙製または発泡スチロール製の簡易食器の構造に関するものである。
【考案の開示】
【考案が解決しようとする課題】
【０００２】  従来、野外や食卓において食事をし、集会や非常時などでは紙製の食器または発泡スチロールを加工した簡易な食器がしばしば使われる場合がある。【０００３】  これは、食事の後処理における食材の残りや食器に付着した汚れをそのままにして廃棄処理ができるため普及するものであり、最近では顕著に普及している。【０００４】  その他、災害時の給食には必ずこれらの簡易食器が重宝され廉価であるためと後処理に手間が掛からないために使用される。【０００５】  一方、いろいろな行事または野外活動の際の食事用に、板紙または板状の薄い発泡スチロール薄板を素材としたものをプレス加工または抽出加工の形成処理によって、大きさと形状も様々な皿または茶碗やどんぶり碗など（以下簡易食器）が多量に製造され市販されている。【０００６】  しかし、これらは食事を中断するなどの際、箸やスプーン（以下食事用品）を食器に残置する場合は、通常の食器においても同様であるが食事用品を安置できず不便なことが多く、食事用品を仮置きできる食卓もない場合もある。【０００７】  本考案は、これらの簡易食器を用いて食事をする際には、使用している食事用品を簡単に食器に残置して他の用事が出来ることを課題とする。
【課題を解決するための手段】
【０００８】  本考案は、課題を解決するため紙製または発泡スチロール製の簡易食器において、食事中に持っていた食事用品を食器の上に一時的に保持できるホルダー構造（以下ホルダー）を付加した簡易食器とする。【０００９】  この場合、簡易食器の製造段階で特定の形状をした突起部分や切り込み部分の形状から成るホルダー構造を付加し、食事に使用する箸またはスプーンなどの食事用品を食器の上に仮置きできて簡単に脱落しない構造とする。【００１０】  本考案は、簡易食器の従来の形状を前述の如く一部を改善し、簡便な構造のホルダーによって食事用品が保持でき利便性を高めることで課題を解決するための手段とする。
【考案の効果】
【００１１】  本考案による簡易食器を食事に用いることにより、使用する食事用品の仮置きに利便性が生じて食事中の他の行動に役立つものである。【００１２】  すなはち、本考案の簡易食器を使用する食事用品を食事中の簡易食器の上に置いて他用をする場合に、食事用品が散乱するなどのアクシデントが防止できる。
【考案を実施するための最良の状態】
【００１３】  考案を実施するための最良の状態は、野外活動や集会活動そして非常時などの給食時等に利用する頻度が高いものであり、本考案の目的を達成する形状は簡易食器の形状に応じて食事用品のホルダーを設けるものである。
【００１４】  本考案のホルダーは、簡易食器の製造段階に置いて考察し、適宜にホルダーの形状と設ける位置を勘案することとする。
【００１５】  すなはち、箸を用いて食事する日本食用の丼や椀のような形状では、上部に位置する部分にホルダーを設け、洋食皿のように皿形状の簡易食器にはその沿線に添って設けることになる。
【００１６】  いずれにしても、紙や発泡スチロールの板状の素材で形成する際は、プレス段階や抽出段階でホルダーの形状を特定することとする。
【００１７】  なお、合成樹脂の素材で簡易食器を製造する場合は、金型を使って抽出されて形成されるが、この場合も金型の形状によって特定できる。
【実施例】
【００１８】  以下、本考案による実施例を図面に基づき説明する。【００１９】  現在普及している多種の簡易食器において、まず、簡易食器のなかでもカレー皿１のような形状をするものを実施例として説明する。【００１８】  図１において、カレー皿１の外周に位置して、外周２に切り込みを設けて突起させた部分３を付加し成形した構造とする。【００２０】  図２において、突起させた部分３は開放口４を有し、食事用品５の柄または握りの部分を簡単に挿入して保持できることとなる。【００２１】  その他形状の異なる簡易食器においては、図３において各上部に位置し、外周に添って同じような構造の突起部分を設けて成形した食事用品のホルダーを設けることとする。【００２２】  本考案は、この実施例に関わらず、ホルダーは形状を異なるものも思考できる。
【産業上の利用可能性】
【００２３】  近年、非常時の対処方法が広く報じられているが、従来の野外行事に加えて各種の集会行事も多く、食事を伴う場合は、その度に簡易食器を用いることが多くなる。【００２４】  従って、簡易食器の需要が従来に比して多くなれば、この種の食器の大量生産が必要となり、本考案による簡易食器の必要性も増大する。【００２５】  本考案の簡易食器は、従来の不便を解消できるものであり、食事中に他事の用件が発生すれば食事用品を手放してそのまま食器の上に放置することになるが、この考案のようにホルダーを設けた簡易食器を使用することによって、食事用品の一時的な保管が容易かつ便利となり、産業上の利用可能性が増大することになる。
【図面の簡単な説明】
【００２６】
【図１】カレー皿となる簡易食器にホルダーを付加した部位を示す平面図。
【図２】カレー皿に付加したホルダーの構造と形状を示す側面図。
【図３】各種の形状の簡易食器とホルダーを設ける位置関係を示した平面図。
【符号の説明】
【００２７】      １．カレー皿の形状をした簡易食器。
２．カレー皿の外周。
３．カレー皿の外周に切り込みを入れ突起させたホルダー。
４．食事用品を保持するためのホルダーの開口口。
ａ．丸型の簡易食器。
ｂ．楕円形の簡易食器。
ｃ．丼の形状をする簡易食器。
ｄ．茶碗の形状をする簡易食器。
【図１】
0003210889.tif 000003
【図２】
0003210889.tif 000004
【図３】
0003210889.tif 000005
【手続補正書】
【提出日】平成29年3月22日(2017.3.22)
【手続補正１】
【補正対象書類名】実用新案登録請求の範囲
【補正対象項目名】全文
【補正方法】変更
【補正の内容】
【実用新案登録請求の範囲】
【請求項１】
紙または発泡スチロールで形成する簡易食器において箸またはスプーンなど食事時に使用する食事用品を一時的に保持できる切り込みや突起を設けた形状を有する紙または発泡スチロールで形成された簡易食器。
【手続補正２】
【補正対象書類名】明細書
【補正対象項目名】全文
【補正方法】変更
【補正の内容】
【考案の詳細な説明】
【技術分野】
【０００１】  本考案は、紙製または発泡スチロール製の簡易食器の形状と構造に関するものである。
【考案の開示】
【背景技術】
【０００２】  従来、野外や食卓において食事をし、集会や非常時などでは紙製の食器または発泡スチロールを加工した簡易な食器がしばしば使われる場合がある。【０００３】  これは、食事の後処理における食材の残りや食器に付着した汚れをそのままにして廃棄処理ができるため普及するものであり、最近では顕著に普及している。【０００４】  その他、災害時の給食には必ずこれらの簡易食器が重宝され廉価であるためと後処理に手間が掛からないために使用される。【０００５】  一方いろいろな行事または野外活動の際の食事用に、板紙または板状の薄い発泡スチロール板を素材としたものをプレス加工または抽出加工の形成処理によって、大きさと形状も様々な皿または茶碗やどんぶり碗など（以下簡易食器）が多量に市販されている。【０００６】  しかし、これらは食事を中断する際、箸やスプーン（以下食事用品）を食器に残置する場合は、食事用品を安置できず不便なことがあり、仮置きできる食卓もない場合がある。【０００７】  本考案は、これらの簡易食器を用いて食事をする際には、使用している食事用品を簡単に食器に残置して他の用事が出来ることを課題とする。
【課題を解決するための手段】
【０００８】  本考案は、課題を解決するため紙製または発泡スチロール製の簡易食器において、食事中に持っていた食事用品を食器の上に一時的に保持できるホルダー構造（以下ホルダー）を付加した簡易食器とする。
【０００９】  この場合、簡易食器の製造段階で特定の形状をした突起部分や切り込み部分の形状からなるホルダー構造を付加し、食事に使用する食事用品を食器上に仮置きできて、簡単に脱落しない構造とする。
【００１０】  本考案は、簡易食器の従来の形状を前述の如く一部を改善し、簡便な構造のホルダーによって食事用品が保持できる利便性を高めることで課題を解決するための手段とする。
【考案の効果】
【００１１】  本考案による簡易食器を食事に用いることにより、使用する食事用品の仮置きに利便性が生じて食事中の他の行動に役立つことになる。
【００１２】  すなわち、本考案の簡易食器を使用する食事用品を食事中の簡易食器の上に置いて他用をする場合に、食事用品が散乱するアクシデントが防止できる。
【００１３】  考案を実施するための最良の状態は、野外活動や集会活動そして非常時などの給食時等に利用する頻度が高いものであり、本考案の目的を達成する形状は簡易食器の形状に応じて食事用品のホルダーを設けるものである。
【００１４】  本考案の簡易食器のホルダーは、簡易食器の製造段階において考案し、適宜にホルダーの形状と設ける位置を勘案することとなる。
【実施例】
【００１５】  以下、本考案による実施例を図面に基づき説明する。ただし、現在普及している多種の簡易食器において、図１に示すカレー皿１のような形状のものを実施例として説明する。【００１６】  図１において、カレー皿１の外周に位置して外周２に切り込みを設け、突起させた部分３を形成した構造とする。【００１７】  図２において、突起させた部分３は開放口４を有し、食事用品５の柄または握り部分を簡単に挿入して保持できることになる。【００１８】  その他、図３の如く形状が異なる簡易食器においては、各々外周に沿って同じような構造の突起部分を設けて形成して食器用品のホルダーを設けることとする。【００１９】  近年、非常時の対処方法が広く報じられているが、従来の野外行事に加えて各種の行事も多く、行事に食事が伴う場合はその度に簡易食器を調達することが多くなる。【００２０】  従って、簡易食器の需要が従来に比して多くなれば、簡易食器の大量生産が必要となり本考案による簡易食器の必要性も増大する。【００２１】  本考案の簡易食器は、従来の不便さを解消できるものであり、食事中に他事の用件が発生すれば食事用品を手放してそのまま食器の上に放置することになるが、この考案の如くホルダーを設けた簡易食器を使用することによって、食事用品の一時的保管が容易で便利さが向上することになり、産業上の利用可能性が増大することになる。
【図面の簡単な説明】
【００２２】
【図１】カレー皿となる簡易食器にホルダーを付加した部位を示す平面見取図。
【図２】カレー皿に付加したホルダーの構造と形状を示す側面見取図。
【図３】各種の形状の簡易食器とホルダーを設ける位置関係を示す平面見取図。
【符号の説明】
【００２３】    １．カレー皿の形状をした簡易食器。
２．カレー皿の外周。
３．カレー皿の外周に切り込みを入れ突起させたホルダー。
４．食器用品を保持するためのホルダーの開口口。
ａ．丸型の簡易容器。
ｂ．楕円形の簡易容器。
ｃ．丼の形状をする簡易容器。
ｄ．茶碗の形状をする簡易容器。